(57)【要約】【課題】本考案の課題は、板目材の持つ木表の風味と木裏の風味を選択可能にすると共に、板目材の反りを抑えた棺を提供することにある。【解決手段】本考案の無垢の板材の表裏を使い分けて組立てた棺は、板目材の木表・木裏を揃えて接着して一枚の板を形成したもので、天板、底板、側板、妻板を作って箱状としたものであって、前記天板、側板、妻板の木裏側には板目材の幅方向に溝構造を彫り込むとともに、前記側板、妻板の端辺には位置を合わせて段部を形成し、該両段部には端辺に沿って丸い深い孔を穿設して木製の丸棒を埋め込み、組合わせる機構として木表面と木裏面の何れをも外側に露出可能として仕上げられることを特徴とする。【選択図】図１
0003175205.tif 000002
【実用新案登録請求の範囲】
【請求項１】
板目材の木表・木裏を揃えて接着して一枚の板を形成したもので、天板、底板、側板、妻板を作って箱状としたものであって、前記天板、側板、妻板の木裏側には板目材の幅方向に溝構造を彫り込むとともに、前記側板、妻板の端辺には位置を合わせて段部を形成し、該両段部には端辺に沿って深い孔を穿設して可燃材製の棒を埋め込み、組合わせる機構として木表面と木裏面の何れをも外側に露出可能として仕上げられることを特徴とする無垢の板材の表裏を使い分けて組立てた棺。
【請求項２】
底板には天板と同寸法の板材を用い、側板、妻板を組合わせたものを前記底板の上面に接着すると共に裏面より釘付けした構造の請求項１に記載の無垢の板材の表裏を使い分けて組立てた棺。
【考案の詳細な説明】
【技術分野】
【０００１】
本考案は遺体を収納する無垢の木製棺桶の構造に関する。
【背景技術】
【０００２】
現在、一般に普及している棺桶は枠組みされた芯材の両面に合板（ベニヤ）などを張り合わせた所謂フラッシュ構造のパネルで作られており、表面は薄い桐材のスライス材で化粧されたもの、布が貼られたもの等が主流となっている。かつては、棺桶といえば主に樅材を中心に天然木の板材で作られるのが一般的であったが、今ではすっかり影を潜めてしまっている。現在流通している無垢の木製棺桶といえば檜、樅又は外国産の桐を用いた高級品のみであり、極限られた人に使われているだけである。フラッシュ構造の棺は価格が廉価で手頃であり、軽量で、見た目もそれなりに綺麗に仕上げられているため需要が多いと考えられる。しかし、伝統ある無垢の木製棺桶には木目模様、木の香り、表面の地肌色合いが綜合された天然木の風味があり、その趣は捨てがたく、この世の旅の終焉時の「安息の床」として相応しい素材であるといえる。
【０００３】
本考案を説明する前に、木材の特性について簡単な説明をしておきたい。
木を輪切りにすると図６に示されるように年輪が形成されており、中心部の年輪は間隔が密となっており、外側部は粗となっている。木質は前者が乾燥して硬く、後者は水分を多く含み軟らかい。木材は内側の「心材」と外側の「辺材」に分けられる。心材は「赤身」、辺材は「白太」とも呼ばれるが、これは一般に中心部が赤っぽく、外辺部が白っぽい色をしているためである。心材は強度的にも強く経年変形（くるい）も少ないため、建築材料に適した素材として尊ばれ、高価であるが、辺材は反りなどの問題があり強度的にも強くないため安価である。
材木は図７に示すように、切り出された丸材から木取りをして得る。図中（１）の木取り図において丸材１の中心部分から取った板は柾目材２であり、辺部から取った板は板目材３と呼ばれる。板目材は乾燥すると必ず外側に反るという現象を伴う。（図（２）参照）。板目材が反る現象は木の外側（木表）の方が木の内側（木裏）よりも板目が強いので、大きく縮小し、外側に反ることになる。一般的には反ることがなく、強度的にも個体差によるバラツキが少なく安定しており、建築材として珍重され高価である柾目材２に対して、この板目材３は材木としての価値は低く見られている。しかし、この板目材は自然木としての独特な風味を備えており、美的観点からは捨てがたい素材である。木表は節が少なく木目も美しく、削った表面には光沢があり、逆目も立ちにくい。白木の清楚さは人の心を引く魅力を備えている。また、一般に木裏は木表よりも木目が悪いと評価されている。節は枝落ちの時期の関係で樹心に近い部分に出やすいため、木裏側には節も多く出る。そして、この板目材３の最も大きな問題は反りという変形の問題である。
【０００４】
日本国産の木材は外国の木材に価格競争で太刀打ちできず、国内の森林は放置されて荒れた山林となっているところが少なくない。木材を使用する当該分野でも国産の木材を使用していない状況にある。現在、棺は大部分が外国からの輸入で賄われている状況にあって、前述したように、外国産のフラッシュ構造の棺が汎用されている理由は価格が廉価で手頃であり、軽量で、見た目もそれなりに綺麗に仕上げられているためと解されるが、それに比べ、変形等の問題が解決され、価格が格段に高くなるようなことがなければ、フラッシュ構造の棺にはない、深い味わいがある無垢の木製棺桶は、この世の旅の終焉時の「安息の床」として相応しい棺と認められ、需要があるものと思われる。
日本の森林は多くが杉の人工林であるが、あまり、珍重されず、見捨てられがちの板目材の積極利用となれば、放置されて荒れた山林となっているこの森林の杉の利用率を上げることにつながり、国内林業の再興の一助になることも期待できるであろう。
【先行技術文献】
【特許文献】
【０００５】
【特許文献１】特開２００７−１００２９３号公報  「床暖房システムに適するフローリング材並びにその製造方法」  平成１９年４月１９日公開
【考案の概要】
【考案が解決しようとする課題】
【０００６】
本考案の課題は、板目材の持つ木表の風味と木裏の風味を選択可能にすると共に、板目材の反りを抑えた棺を提供することにある。
【課題を解決するための手段】
【０００７】
本考案の無垢の板材の表裏を使い分けて組立てた棺は、板目材の木表・木裏を揃えて接着して一枚の板を形成したもので、天板、底板、側板、妻板を作って箱状としたものであって、前記天板、側板、妻板の木裏側には板目材の幅方向に溝構造を彫り込むとともに、前記側板、妻板の端辺には位置を合わせて段部を形成し、該両段部には端辺に沿って深い孔を穿設して木製等の可燃性の棒を埋め込み、組合わせる機構として木表面と木裏面の何れをも外側に露出可能として仕上げられることを特徴とする。
【０００８】
また、本考案の無垢の板材の表裏を使い分けて組立てた棺は、底板には天板と同寸法の板材を用い、側板、妻板を組合わせたものを前記底板の上面に接着すると共に裏面より釘付けする構造とした。
【考案の効果】
【０００９】
本考案の無垢の板材の表裏を使い分けて組立てた棺は、無垢の板目材を用いるものであって、木表・木裏の何れをも外面に用いる組み立てが可能な構成としたので、木表・木裏の木質の味を使用者の好みに応じて自由に選択させることができる。また、天板、側板、妻板の木裏側には板目材の幅方向に溝構造を彫り込む構成を採用したことにより、板目材がもつ反りの現象を効果的に防止できるという効果を備えている。外面が木表の棺と木裏の棺を別設計で作る必要が無く、全くの同一製品を希望に合わせて提供できる点でコスト的にも低く抑えることができる効果を奏する。
【００１０】
また、本考案の無垢の板材の表裏を使い分けて組立てた棺は、底板には天板と同寸法の板材を用い、側板、妻板を組合わせたものを前記底板の上面に接着すると共に裏面より釘付けする構造としたものであるから、側板、妻板を組合わせたものの内側に底板を嵌め込む構造の従来の棺のように釘が側板表面に打ち付けられることはなく、底面から釘を使うことができ、釘隠しの処理をする必要がない。底板上に側板、妻板を組合わせたものが乗った構造であるので接着効果も高く安定性にも優れている。したがって、釘は安全確保のための最少数の使用で足りる。また、底板を天板と同じ材料を使うことができることは加工上の手間も省け、材料費の面でコスト削減となっている。
【図面の簡単な説明】
【００１１】
【図１】本考案の無垢の板材の表裏を使い分けて組立てた棺の１実施例を示したものであって、図中（１）は木裏面を外面に組立てたもの、（２）は木表面を外面に組立てたものを示す図である。
【図２】本考案の無垢の板材の棺の各部材の木表面を示した図である。
【図３】本考案の無垢の板材の棺の各部材の木裏面を示した図である。
【図４】本考案の無垢の板材の棺の側板、妻板の端辺に形成した段部構造と、両部材の組み合わせを説明する図である。
【図５】本考案の一実施例に施したシンプルな溝構造を示す図である。
【図６】自然木の切断面状態を示す図である。
【図７】材木を切り分ける木取りの形態と、板目材の反りの原理を説明する図である。
【考案を実施するための形態】
【００１２】
本考案の無垢の板材の表裏を使い分けて組立てた棺は、図１の（１）（２）に示すように板目材の木裏面を外面に組立てたもの、木表面を外面に組立てたものいずれをも所望に応じて提供することができるものである。棺は基本的に箱構造を形成するもので、天板Ａ、底板Ｄ、２枚の側板Ｂ、２枚の妻板Ｃを作って組立て箱状とするものである。これらの素材はすべて板目材の木表・木裏を揃えて接着して一枚の板を加工して作る。その際、前記側板Ｂ、妻板Ｃの端辺には図４に示されるように位置を合わせて段部B1，C1が形成される。この位置は一般にはこの側板、妻板の幅方向の中心位置に加工されるが、必ずしもその位置に限定されるものではなく側板、妻板の位置が一致していればよい。該両段部B1，C1には端辺に沿う方向に丸い深い孔を穿設しておき、その一方に木製又は竹製の丸棒を埋め込んだ後に他方の孔に該丸棒の先端を嵌め込み、組合わせる機構としている。孔と棒はこの例のように必ずしも断面が円形である必要はなく、適宜の形状であってよい。なお、木製又は竹製の丸棒を使用する意図は火葬された時にお骨に異物が混じらないように可燃物を選定したものである。２枚の側板Ｂ、２枚の妻板Ｃが組まれ、矩形の筒体ができたところでその下端部には接着剤が塗布され、底板Ｄの上面に貼合わされる。矩形の筒体の荷重及び／又は押圧力を印加して接着を行うため、接着状態は良好であり、安定したものとなる。これで棺としての強度は十分であるが、万一の事故防止のため、底面から最小限の数の釘を打つ。火葬の際、お骨に混入する異物は、本考案の棺に関してはこの最小限使用する釘だけである。本考案はこのようにしてお棺を箱状に組立て、天板はそのまま蓋体として乗せる。また、前記側板Ｂ、妻板Ｃの組構造をよりしっかりしたものにするためにはウツギの木を削った木釘を板表面から相手の板の長手方向に打ち込むようにしてもよい。
【００１３】
本考案の特徴は木表面と木裏面の何れをも外側に露出可能として仕上げられる点にある。板目材の木表面と木裏面がそれぞれに持つ特性に着目し、それぞれの持っている自然美を効果的に引き出し、使用者の好むところに従って、外側にその面がくるように組立てて提供する。本考案において木表側は図２に示すように何も加工しない。木表は木肌が白く節が少なく木目も美しく、削った表面には光沢があり、逆目も立ちにくい。本考案の棺は側板Ｂの面にも釘が見えることはないため、釘隠しの添え木が使われるようなこともなく、直方体のシンプルな形状である。白木の清楚さ、形状の単純さは日本人の心を引く魅力を備えているといえ、特に神式や仏式の葬儀には好まれる傾向が強いと推察される。
【００１４】
本考案の無垢の板材の表裏を使い分けて組立てた棺の大きな課題は、反りによる変形の問題である。先に説明したように板目材には反りの現象を伴う。本考案で使用する材料は木表・木裏を揃えて接着して一枚の板を形成したものである。板の幅方向は複数の板が貼り合わされた構造であるため、反りが出ても若干波打つだけで目に見える大きな寸法狂いとはならない。しかし、普段あまり問題とされない長手方向の反りが蓋を構成する天板Ａと側板、妻板を組合わせた方形筒状体の上端部との間に隙間が生じることが明らかになり、この対策が重要となることが分かった。
【００１５】
無垢杉板床板の反り防止の技術として木裏に入れる反り止めの溝を設けることは知られている。特許文献１は床暖房システムの木製の床材として適用しても径年変化が少なく、不具合が発生しにくく、耐久性に富む床暖房システムに適するフローリング材並びにその製造方法を提供することを目的とした考案であるが、その明細書中に反り防止のために「長尺板材の長手方向に渡って反り防止溝が、形成間隔１３〜１９ｍｍ間隔という比較的短いピッチ間隔で形成される。」ことが記載されている。長手方向に溝を切っていることから、この反りは長手方向の反り防止ではなく、従来から問題とされている幅方向の反りを想定したものである。棺蓋のように板がフリーで載置されるものと違い、床板の場合小根太の上全面に対し接着剤を塗布し、接着する構造であるため、長手方向の反りは問題とならないと解される。
【００１６】
本考案ではこの反り防止技術を応用し、長手方向の反りを防止するため、木裏に板目材の幅方向に溝構造を彫り込むことにした。何回かの試行錯誤を重ねる中で、この木裏の彫り溝が木裏の木肌風味と融合して模様の面白さを引き立てる効果を奏するとの知見を得た。このことにより、従来は木裏は木表よりも木目が悪いと評価されていおり、節が多く出るため、外面に顕れる形で使うことが敬遠されがちであったが、本考案者らが工夫を凝らしたところ、この赤みを帯びた木裏面が、彫り溝と融合して味わい深い荘重な雰囲気を醸し出すことを見出した。一般に敬遠されがちの節も違和感なく模様として生きる。とくに、溝構造は反り防止の機能だけでなく、溝による適宜のデザインが可能であり、葬儀で使用される蝋燭の光のもとでは影を作り揺らぐ光源に照らされて趣を増すことが分かった。木表の清楚さ、木裏の荘重さは何れも棺としての気品を持ち、使用者に好まれるものと推察される。
【００１７】
図３に示したものは本考案の無垢の板材の表裏を使い分けて組立てた棺として、天板Ａ、側板Ｂ、妻板Ｃの木裏側に溝を彫ったものであるが、この溝構造は棺のデザインとしても鑑賞に堪える形状に工夫した実施形態である。この例では妻板Ｃには一つの長方形の溝の中に幅方向成分の多い直線溝を矢来文様に交差させている。天板Ａ、側板Ｂは長手方向が大きいので、長方形の溝を二つに分けると共にその間をＶ字溝で繋ぐデザインとしている。このように、本考案では幅方向成分を多くしつつも長手方向溝も形成されるので、長手方向の反り防止だけでなく、幅方向の波打つ反りに対しても有効に防止機能を果たすものとなる。
【実施例】
【００１８】
本考案の一実施例を以下に示す。素材には国産人工林の杉材を使用した。部位は白太（辺材部）と源平（辺材に赤身の心材部を含む）を用いた。板厚が27ｍｍのもので天板Ａの寸法は2000×550ｍｍ、側板は2000×350ｍｍ、妻板Ｃは580×350ｍｍとし、段部位置は中央部の175ｍｍとし幅は板厚と同じ27ｍｍとした。木表側はケズリ加工仕上げ、木裏側は模様溝とケズリ仕上げとし、溝加工としては図５に示すように単純な一筆構造とし、溝の深さは17ｍｍとした。反り防止効果の点では十分であるだけでなく、木裏面が赤身を多く含み白身が混合した素材ではこのシンプルな溝構造でも荘重感は十分にでる。側板Ｂと妻板Ｃの接合部は段部B1，C1に穿設する孔の径を９ｍｍφとし、つなぎの丸棒には竹製の１０ｃｍのものを使用した。
天板と底板の周端面や側板と妻板接合部の端面が直接人目に触れる構造であるため無垢材であることが実感され、棺としての質感を高める効果がある。
素材は必ずしも杉材である必然性はなく、檜なども適しているが、国内の人工林の多くは杉林であり、価格の点で杉の方が廉価にできることから、実用的である。
【産業上の利用可能性】
【００１９】
本考案は白太材が木材の樹皮に近い周辺部、淡白色または白っぽい色、腐りやすく虫もつきやすいため、建築材や家具材としては珍重されず、内装材としてしか用いられていないという状況を踏まえ、建築材や家具材のように長期間の使用を想定するものではないため腐りやすく虫もつきやすいという性質は大きな問題とはならないという棺の特殊性に着目し、白太材を白木としての美しさを積極的に利用し、利用の道を開くもので、林業の振興の一助となるものといえる。
また、本考案の棺は木表面使用と木裏面使用の選択が可能であることから、広い嗜好に対応が取れ、日本における葬儀形態、仏式、神道、キリスト教、無宗教いずれにも相応しい棺となるので、汎用性が高いものとなる。
【符号の説明】
【００２０】
Ａ  天板                          Ｂ  側板
Ｃ  妻板                          Ｄ  底板
Ｅ  丸棒                          B1，C1  段部
１  丸材                          ２  柾目材
３  板目材
【図１】
0003175205.tif 000003
【図２】
0003175205.tif 000004
【図３】
0003175205.tif 000005
【図４】
0003175205.tif 000006
【図５】
0003175205.tif 000007
【図７】
0003175205.tif 000008
【図６】
0003175205.tif 000009